【手続補正書】
【提出日】平成28年2月18日(2016.2.18)
【手続補正１】
【補正対象書類名】特許請求の範囲
【補正対象項目名】全文
【補正方法】変更
【補正の内容】
【特許請求の範囲】
【請求項１】
無線通信システムにおいて、ブロードキャストセッションで少なくとも一つのユーザ機器（ＵＥ）へデータを送信する、ブロードキャストマルチメディアサービスセンター（ＢＭ−ＳＣ）において実行される方法であって、
少なくとも一つのＵＥにデータを送信することを決定する工程（５１０）と、
前記データの送信のために適用されるＦＥＣ（前方誤り訂正）冗長度の量を示すＦＥＣ冗長度レベルを決定する工程（５２０）と、
前記少なくとも一つのＵＥに前記データと前記ＦＥＣ冗長度レベルの表示を送信する工程（５３０）と、
を含む、方法。
【請求項２】
前記ＦＥＣ冗長度レベルの表示は、更新されたファイル配信テーブル（ＦＤＴ）インスタンスにＦＥＣ冗長度レベル属性として挿入され、該更新されたＦＤＴインスタンスは前記ＵＥに送信される（５３０）、請求項１記載の方法。
【請求項３】
前記少なくとも一つのＵＥの少なくとも一つから、前記ＵＥが、前記適用されたＦＥＣ冗長度レベルに従って、前記送信されたデータの復号に成功できなかったことをＢＭ−ＳＣに示す情報を受信する工程（５４０）を更に含む、請求項１または２に記載の方法。
【請求項４】
前記受信する工程は、パケット損失率の表示を受信する工程を含む、請求項３に記載の方法。
【請求項５】
後続のデータの送信のために使用されるＦＥＣ冗長度レベルを増加することを決定し（６１０）、前記ＵＥに前記更新されたＦＥＣ冗長度レベルの表示を送信することにより、前記ＵＥの少なくとも一つから、前記データの復号に失敗した情報の受信に応答する工程を更に含む、請求項１から３のいずれか１項に記載の方法。
【請求項６】
前記少なくとも一つのＵＥへの前記データの送信を中止することを決定する工程（６１５）と、
各ＵＥへ該中止の情報を送信する工程と、を更に含む、請求項１から４のいずれか１項に記載の方法。
【請求項７】
後の時点において前記中止されたデータの送信を再度スケジュールする工程（６２０）を更に含む、請求項６に記載の方法。
【請求項８】
前記データの送信の期間に適用するファイル修復ウィンドウを拡張することを決定する工程（６２５）と、
後続のデータの送信ために該拡張したファイル修復ウィンドウを適用する工程と、を更に含む請求項１から４のいずれか１項に記載の方法。
【請求項９】
前記データの送信の間に適用するファイル修復ウィンドウを取りやめる工程を更に含む請求項１から４のいずれか１項に記載の方法。
【請求項１０】
データを成功裏に復号することに失敗したことを報告するＵＥの数と、前記送信されたデータを受信するように意図された前記少なくとも一つのＵＥの少なくとも一つのＵＥに対するパケット損失率についての情報を保存する工程（６３０）と、
前記保存された情報に基づいて、一定の割合の修復シンボルを再送する工程、または、別のタイムスロットを用いてデータを再送する工程と、を更に含む、請求項１から４のいずれか１項に記載の方法。
【請求項１１】
ブロードキャストセッションにおいてブロードキャストマルチメディアサービスセンター（ＢＭ−ＳＣ）から送信されたデータを受信する、ユーザ機器（ＵＥ）において実行される方法であって、
前記ＢＭ−ＳＣから、送信されたデータと、データを送信する際に適用されたＦＥＣ冗長度レベルを受信する工程（７１０）と、
前記受信したＦＥＣ冗長度レベルを用いて前記受信したデータを復号する工程（７２０）と、を含む方法。
【請求項１２】
前記ＦＥＣ冗長度レベルの表示は、ファイル配信テーブル（ＦＤＴ）インスタンスにおいて提供される、請求項１１に記載の方法。
【請求項１３】
前記送信されたデータの復号に成功したか否かを判定する工程（７３０）と、
復号が成功しなかったと考えられる場合に前記送信されたデータの復号に失敗したことを示す情報を前記ＢＭ−ＳＣへ送信する工程（７４０）と、を更に含む、請求項１１または１２に記載の方法。
【請求項１４】
前記送信する工程は、前記送信のパケット損失率を知らせる工程を含む、請求項１３に記載の方法。
【請求項１５】
復号に成功しなかった前記送信されたデータのパケットの数と復号に成功したパケットの数との間の比率を決定する工程（７７０）と、
前記ＦＥＣ冗長度レベルと前記決定した比率との関係を決定する工程（７８０）と、
前記比率がＦＥＣ冗長度レベルより高い場合と、ファイル修復が前記送信されたデータに使用可能でない場合に、前記送信されたデータの更なるパケットの受信を中止する工程（８００）と、を更に含む請求項１１から１４のいずれか１項に記載の方法。
【請求項１６】
開始されたブロードキャストセッションの中止より後に、ファイル修復の手続きにおいて復号に成功していないデータを受信するために、前記ファイル修復が要求されることをＢＭ−ＳＣに知らせる工程（７５０）を更に含む、請求項１１から１５のいずれか１項に記載の方法。
【請求項１７】
無線通信システムにおいて、少なくとも一つのユーザ機器（ＵＥ）（１０００）へブロードキャストセッションを介してデータを送信するＢＭ−ＳＣ（８００）であって、
プロセッサ（８１０）とコンピュータ読み取り可能なメモリ（８２０）を含み、該メモリは、前記プロセッサ（８１０）により実行された場合に、該プロセッサ（８１０）に、
前記少なくとも一つのＵＥ（１０００）にデータを送信することを決定させ、
前記送信のために使用するＦＥＣ冗長度レベルを決定させ、
前記決定したＦＥＣ冗長度レベルを適用した前記データと、前記決定したＦＥＣ冗長度レベルの表示を前記少なくとも一つのＵＥへ送信させる命令を記憶可能である、ＢＭ−ＳＣ。
【請求項１８】
前記プロセッサ（８１０）は、前記決定したＦＥＣ冗長度レベルでファイル配信テーブル（ＦＤＴ）インスタンスを更新するように更に構成される、請求項１７に記載のＢＭ−ＳＣ。
【請求項１９】
前記メモリ（８２０）は更に、前記プロセッサ（８１０）により実行された場合に、前記プロセッサ（８１０）に、前記少なくとも一つのＵＥの少なくとも一つのＵＥ（１０００）から、前記ＢＭ−ＳＣへ前記少なくとも一つのＵＥ（１０００）が前記データのファイルの送信のために適用された前記ＦＥＣ冗長度レベルに従って前記データファイルの復号に成功できなかったことを示し、パケット損失率をも示す情報を受信させる命令を記憶可能である、請求項１８に記載のＢＭ−ＳＣ。
【請求項２０】
前記少なくとも一つのＵＥの少なくとも一つのＵＥ（１０００）から、前記少なくとも一つのＵＥが前記データファイルの復号に成功しなかったことを示す情報を受信することは、更に前記パケット損失率を前記ＢＭ−ＳＣへ示す受信報告要求を受信することを含む、請求項１９に記載のＢＭ−ＳＣ。
【請求項２１】
前記メモリ（８２０）は更に、前記プロセッサ（８１０）によって実行された場合に、前記プロセッサ（８１０）に、前記ＦＥＣ冗長度レベルを増加することを決定させ、前記少なくとも一つのＵＥ（１０００）へ、前記増加されたＦＥＣ冗長度レベルを用いたデータのファイルの後続のパケットと、以降に適用される前記増加されたＦＥＣ冗長度レベルの表示の送信を続けさせる命令を記憶可能である、請求項１８から２０のいずれか１項に記載のＢＭ−ＳＣ。
【請求項２２】
前記メモリ（８２０）は更に、前記プロセッサ（８１０）によって実行された場合に、前記プロセッサ（８１０）に、前記少なくとも一つのＵＥへのデータの送信を中止することを決定させ、前記データの送信が中止された情報を前記少なくとも一つのＵＥ（１０００）へ送信させる命令を記憶可能である、請求項１８から２０のいずれか１項に記載のＢＭ−ＳＣ。
【請求項２３】
前記メモリ（８２０）は更に、前記プロセッサ（８１０）によって実行された場合に、前記プロセッサ（８１０）に、後の時点において前記データの送信を再度スケジュールさせる命令を記憶可能である、請求項２２に記載のＢＭ−ＳＣ。
【請求項２４】
前記メモリ（８２０）は更に、前記プロセッサ（８１０）によって実行された場合に、前記プロセッサ（８１０）に、前記少なくとも一つのＵＥ（１０００）へのデータの送信の終了に続いてファイル修復ウィンドウを拡張することを決定させ、前記データのファイルの前記送信の終了に続いてファイル修復セッションのために前記拡張したファイル修復ウィンドウを適用させる命令を記憶可能である、請求項１８から２０のいずれか１項に記載のＢＭ−ＳＣ。
【請求項２５】
前記メモリ（８２０）は更に、前記プロセッサ（８１０）によって実行された場合に、前記プロセッサ（８１０）に、前記少なくとも一つのＵＥ（１０００）へのデータの送信の終了に続くべきファイル修復ウィンドウを取りやめることを決定させる命令を記憶可能である、請求項１８から２０のいずれか１項に記載のＢＭ−ＳＣ。
【請求項２６】
前記メモリ（８２０）は更に、前記プロセッサ（８１０）によって実行された場合に、処理部（４３０）に、データを成功裏に復号することに失敗したことを報告するＵＥの数と、前記送信されたデータを受信するように意図された前記少なくとも一つのＵＥの少なくとも一つのＵＥに対するパケット損失率についての情報を保存させ、前記保存された情報に基づいて、一定の割合の修復シンボルを再送させ、または、別のタイムスロットを用いてデータを再送させる命令を記憶可能である、請求項１９から２４のいずれか１項に記載のＢＭ−ＳＣ。
【請求項２７】
前記ＢＭ−ＳＣ（８００）は、ブロードキャストマルチメディアサービスセンター（ＢＭ−ＳＣ）である、請求項１７から２６のいずれか１項に記載のＢＭ−ＳＣ。
【請求項２８】
ブロードキャストマルチメディアサービスセンター（ＢＭ−ＳＣ）（８００）からブロードキャストセッションのデータファイルの送信を受信するように構成されたユーザ機器（ＵＥ）（１０００）であって、
プロセッサ（１０１０）とメモリ（１０５０）を含み、前記メモリは前記プロセッサ（１０１０）によって実行された場合に、前記プロセッサ（１０１０）に、
データファイルと、該データを送信するために使用されたＦＥＣ冗長度レベルの表示を含んだ送信を前記ＢＭ−ＳＣから受信させ、
前記表示されたＦＥＣ冗長度レベルを用いて前記受信された送信を復号させる命令を記憶可能である、ＵＥ。
【請求項２９】
前記メモリ（１０５０）は更に、前記プロセッサ（１０１０）によって実行された場合に、前記プロセッサ（１０１０）に、受信したＦＥＣ冗長度レベルに従って受信したパケットもしくはデータを復号させる命令を記憶可能であり、ここで、受信した送信の復号に成功しなかった場合に、更にＵＥが前記データファイルの復号に成功しなかったことを示す情報をＢＭ−ＳＣへ送信するように前記プロセッサ（１０１０）が更に構成される、請求項２８記載のＵＥ。
【請求項３０】
前記ＢＭ−ＳＣ（８００）へ前記ＵＥ（１００）が前記データファイルの復号に成功しなかったことを示す情報を送信する工程は、パケット損失率を示す受信報告要求を前記ＢＭ−ＳＣへ送信する工程を含む、請求項２９に記載のＵＥ。
【請求項３１】
前記メモリ（１０５０）は更に、前記プロセッサ（１０１０）によって実行された場合に、前記プロセッサ（１０１０）に、複数のパケットを受信させ、復号に成功しなかったパケットの数と受信したパケットの数との間の比率を決定させ、前記ＦＥＣ冗長度レベルと前記決定した比率との間の関係を決定させ、前記比率がＦＥＣ冗長度レベルより高い場合と、ファイル修復が送信されたデータに使用可能でない場合に、送信されたデータの更なるパケットの受信を中止させる命令を記憶可能である、請求項２８から３０のいずれか１項に記載のＵＥ。
【請求項３２】
前記メモリ（１０５０）は更に、前記プロセッサ（１０１０）によって実行された場合に、前記プロセッサ（１０１０）に、復号に成功しなかったものとしてＢＭ−ＳＣへ示されたパケットの再送を受信するために、前記ＢＭ−ＳＣ（８００）によるファイル修復セッションが、ブロードキャストセッションの終了後に要求されることをＢＭ−ＳＣ（８００）に示させる命令を記憶可能である、請求項２８から３１のいずれか１項に記載のＵＥ。